(57)【要約】【課題】  記録シートの補給作業の作業性を良好に保ちながら、記録シート収納部である記録シート供給トレイの周囲にできる隙間から画像形成装置内の動作音が漏れ難くする。【解決手段】  画像形成装置のハウジング内部の記録シート収納部に、記録シートが載置される記録シート供給トレイ２８を出し入れ可能に装着し、記録シート収納部の開口部と記録シート供給トレイ２８の取っ手部３２との間に、通気性を有する屈折された隙間を作ることにより、記録シート供給トレイ２８の装脱性を損なわずに遮音する漏音抑制手段を設ける。【選択図】図２
2006256811.tif 000002
【特許請求の範囲】
【請求項１】
ハウジング内部の記録シート収納部に、記録シートが載置される記録シート供給トレイを出し入れ可能に装着した画像形成装置において、
前記記録シート収納部の開口部と前記記録シート供給トレイの取っ手部との間に、通気性を有する屈折された隙間を作ることにより、前記記録シート供給トレイの装脱性を損なわずに遮音する漏音抑制手段を設けたことを特徴とする画像形成装置。
【請求項２】
ハウジング内部の記録シート収納部に、記録シートが載置される記録シート供給トレイを出し入れ可能に装着した画像形成装置において、
前記記録シート収納部の開口部に、少なくとも前記記録シート供給トレイの取っ手部の上端面と下端面とに、所定距離で隣接するようオーバーラップ部材を配置して通気性を有する屈折された隙間を作ることにより、前記記録シート供給トレイの装脱性を損なわずに遮音する漏音抑制手段を設けたことを特徴とする画像形成装置。
【請求項３】
前記オーバーラップ部材と、前記取っ手部との間の距離を、２ｍｍ以上、３ｍｍ以下に構成したことを特徴とする、請求項２に記載の画像形成装置。
【請求項４】
ハウジング内部の記録シート収納部に、記録シートが載置される記録シート供給トレイを出し入れ可能に装着した画像形成装置において、
前記記録シート供給トレイの取っ手部の内側面における外周部近くの所定部分に、細溝状に穿設した遊挿溝と、
前記記録シート収納部の開口壁部に前記遊挿溝に挿入可能に対応して縦壁状に立設され、前記遊挿溝に挿入されることにより、前記遊挿溝内の隙間を２回以上屈折させて騒音を低減するように構成したオーバーラップ部材と、
を有することを特徴とする画像形成装置。
【請求項５】
ハウジング内部の記録シート収納部に、記録シートが載置される記録シート供給トレイを出し入れ可能に装着した画像形成装置において、
前記記録シート供給トレイの取っ手部に転接ローラを軸着し、当該転接ローラが前記取っ手部と隙間を介して対向する面に転接することにより、前記隙間を塞ぐよう構成したことを特徴とする画像形成装置。
【発明の詳細な説明】
【技術分野】
【０００１】
この発明は、複写機、プリンタ、ファクシミリ等の画像形成装置内部で発生する騒音が、記録シートの供給トレイ装着部分から画像形成装置本体の外部へ漏れることを低減可能とする、画像形成装置に関する。
【背景技術】
【０００２】
近年、オフィスにおける快適性あるいは知的生産性の向上を支援するためにオフィス環境の向上が求められている。この動きを受けて、複写機あるいはプリンタ等の画像形成装置では、その騒音を低減することが強く求められている。
【０００３】
一般に、画像形成装置は、そのハウジング内に収納された用紙トレイから用紙を１枚づつ引き出して画像形成部へ搬送し、画像形成部がこの用紙上に画像を形成してから、装置外部の搬出トレイ上に排出するようになっている。
【０００４】
このような画像形成装置では、ハウジングの前面に形成された開口部に対して用紙トレイを引き出し又は挿入可能に装着し、用紙トレイをハウジングから引き出した補給位置で用紙の束を補給し、この用紙トレイをハウジング内へ押し戻して収容位置にセットすることにより、用紙の補給作業を行うようにしている。
【０００５】
また画像形成装置では、各用紙トレイを引き出す際に、用紙トレイがハウジングの前面に形成された開口部周囲の部材に接触して操作性を阻害しないように、各用紙トレイの周囲に遊びとしての隙間が残るように設計されている。
【０００６】
このため画像形成装置では、ハウジングの前面における開口部と、用紙トレイとの間の隙間から画像形成装置内部の動作音、例えば画像形成部の動作音や用紙搬送部部材の動作音が漏れてしまう。
【０００７】
そこで、従来の画像形成装置では、騒音発生を防止するため、画像形成装置のハウジングに設けた開口部に、移動可能に複数の用紙トレイを装着し、これら各用紙トレイをそれぞれハウジング外部の補給位置へ引き出して用紙の補給を行うように構成すると共に、少なくとも２つ以上の用紙トレイの引き出し口を塞ぐようにカバー手段を配設し、このカバー手段を、２つ以上の用紙トレイの内の任意の用紙トレイを引き出す際に、その用紙トレイと一体化して引き出すように構成したものが提案されている（例えば、特許文献１参照。）。
【０００８】
このように構成した場合には、２つ以上の用紙トレイの間の隙間を一つのカバー手段で塞いで画像形成装置の動作音が漏れないようにするため、カバー手段を、２つ以上の用紙トレイの内の一つの用紙トレイを引き出す際に、引き出される用紙トレイにカバー手段を選択的に一体化させるための複雑な構成が必要となる。また、カバー手段は、２つ以上の用紙トレイの前面を覆うために、大型化せざるを得ない。
【０００９】
このため、記録シート収納部である所望の用紙トレイ（給紙トレイ）を一つだけ取り出すときに、使用者は、大型のカバー手段を引き出す用紙トレイに一体化する操作をし、さらに、大型のカバー手段を付けた用紙トレイを補給位置へ引き出して記録シート（用紙）の補給を行う作業をすることになるので、記録シートの補給作業の作業性が悪くなる。
【特許文献１】特開２００３−２６０８４９号公報
【発明の開示】
【発明が解決しようとする課題】
【００１０】
本発明は、上述の点に鑑み、記録シートの補給作業の作業性を良好に保ちながら、記録シート収納部である記録シート供給トレイの周囲にできる隙間から画像形成装置内の動作音が漏れ難くすることができる画像形成装置を新たに提供することを目的とする。
【課題を解決するための手段】
【００１１】
請求項１に記載の画像形成装置は、ハウジング内部の記録シート収納部に、記録シートが載置される記録シート供給トレイを出し入れ可能に装着した画像形成装置において、記録シート収納部の開口部と記録シート供給トレイの取っ手部との間に、通気性を有する屈折された隙間を作ることにより、記録シート供給トレイの装脱性を損なわずに遮音する漏音抑制手段を設けたことを特徴とする。
【００１２】
請求項２に記載の画像形成装置は、ハウジング内部の記録シート収納部に、記録シートが載置される記録シート供給トレイを出し入れ可能に装着した画像形成装置において、記録シート収納部の開口部に、少なくとも記録シート供給トレイの取っ手部の上端面と下端面とに、所定距離で隣接するようオーバーラップ部材を配置して通気性を有する屈折された隙間を作ることにより、記録シート供給トレイの装脱性を損なわずに遮音する漏音抑制手段を設けたことを特徴とする。
【００１３】
請求項３に記載の発明は、請求項２に記載の画像形成装置において、オーバーラップ部材と、取っ手部との間の距離を、２ｍｍ以上、３ｍｍ以下に構成したことを特徴とする。
【００１４】
前述のように構成することにより、記録シート供給トレイと記録シート収納部の開口部との間に構成された漏音抑制手段により、漏音抑制効果を得ることができる。さらに、記録シート供給トレイと記録シート収納部の開口部との間にある隙間により、記録シート供給トレイを装脱操作させるときの操作性を保持することができる。よって、記録シート供給トレイの装脱性を良好に維持することと、画像形成装置からの漏音抑制とを両立できる。さらに、この漏音抑制手段は、簡素な構成であるので、画像形成装置を廉価に製造できる。
【００１５】
請求項４に記載の画像形成装置は、ハウジング内部の記録シート収納部に、記録シートが載置される記録シート供給トレイを出し入れ可能に装着した画像形成装置において、記録シート供給トレイの取っ手部の内側面における外周部近くの所定部分に、細溝状に穿設した遊挿溝と、記録シート収納部の開口壁部に遊挿溝に挿入可能に対応して縦壁状に立設され、遊挿溝に挿入されることにより、遊挿溝内の隙間を２回以上屈折させて騒音を低減するように構成したオーバーラップ部材と、を有することを特徴とする。
【００１６】
上述のように構成することにより、記録シート供給トレイと記録シート収納部の開口部との間に設けられた、遊挿溝にオーバーラップ部材を遊挿して、遊挿溝内の隙間を２回以上屈折させた構成により、オーバーラップ部材による音の透過損失と、オーバーラップ部材によって遊挿溝内に作られる隙間の形状が２回以上屈折されたものとなり、音の減衰と干渉によって、騒音を低減できる。また、遊挿溝内にオーバーラップ部材が遊挿される構成であるため、記録シート供給トレイを装脱操作する際に、漏音抑制手段の部分で摩擦抵抗が生じることは無いから、記録シート供給トレイを装脱操作する際の操作性を良好に維持することができる。よって、このような簡素な構成によって、画像形成装置本体に装着した記録シート供給トレイの装脱性を損なわずに遮音して、騒音が画像形成装置本体の外部へ漏れることを低減することができる。さらに、この遊挿溝とオーバーラップ部材との構造は、簡素な構成であるので、画像形成装置を廉価に製造できる。
【００１７】
請求項５に記載の画像形成装置は、ハウジング内部の記録シート収納部に、記録シートが載置される記録シート供給トレイを出し入れ可能に装着した画像形成装置において、記録シート供給トレイの取っ手部に転接ローラを軸着し、当該転接ローラが取っ手部と隙間を介して対向する面に転接することにより、隙間を塞ぐよう構成したことを特徴とする。
【００１８】
上述のように構成することにより、転接ローラが隙間を介して対向する壁面に転接して、隙間が直線的に外部へ連通しないように塞ぐ。これにより転接ローラによる音の透過損失と、この転接ローラの周囲にできる幅が狭く湾曲した空間による音の減衰と干渉によって、騒音を低減できる。また、記録シート供給トレイを装脱操作する際には、転接ローラが、隙間を介して対向する壁面に対して抵抗が少ないように転接するので、記録シート供給トレイを装脱操作するため必要な操作力が大きくならないから、記録シート供給トレイを装脱操作する際の操作性を良好に維持することができる。よって、このような簡素な構成によって、画像形成装置本体に装着した記録シート供給トレイの装脱性を損なわずに遮音して、騒音が画像形成装置本体の外部へ漏れることを低減することができる。さらに、この転接ローラを装着する構造は、簡素な構成であるので、画像形成装置を廉価に製造できる。
【発明の効果】
【００１９】
本発明の画像形成装置では、記録シートの補給作業の作業性を良好に保つと共に、記録シート収納部である記録シート供給トレイの周囲にできる隙間から画像形成装置内の動作音が漏れ難くすることができる画像形成装置を廉価に提供できるという効果がある。
【発明を実施するための最良の形態】
【００２０】
本発明の実施の形態に係わる、画像形成装置について、図１乃至図９により説明する。図１の斜視図に示すように、この画像形成装置（デジタル複写機）本体１０は、プリンタ１２の上方に、イメージスキャナ１４を配置し、その上部に自動原稿搬送装置１６を配置して構成する。
【００２１】
このイメージスキャナ１４には、その上面に原稿を載置するためのプラテンガラス（図示せず）が設置してある。
【００２２】
また、自動原稿搬送装置１６には、複写しようとする単数又は複数の原稿を重ねて載置する原稿給紙トレイ２４を設置する。この自動原稿搬送装置１６は、原稿給紙トレイ２４上に載置された原稿を、順次プラテンガラス上の複写位置を通過して原稿排紙トレイ２６上に排出されるように自動搬送してイメージスキャン動作を行えるように構成する。この自動原稿搬送装置１６は、プラテンガラスの上部を開放できるように、図示しないヒンジで開閉可能に装着する。
【００２３】
また、プリンタ１２の上部には、上方に配置されたイメージスキャナ１４との間に、用紙排出トレイ２０を設置する。
【００２４】
イメージスキャナ１４には、ユーザが複写開始等を入力操作するためのユーザインタフェース及び原稿画像を読み取るための図示しない露光光学系を設置する。この露光光学系で読み取った原稿画像の出力信号は、図示しない制御部においてデジタル画像データに変換して一時的に記憶しておき、所定のタイミングで潜像形成用の画像データとして、プリンタ１２の内部に配置されたＲＯＳ（潜像形成装置）に出力される。
【００２５】
このプリンタ１２の内部には、装置本体（ハウジング）下部に３段に渡って配置された記録シート供給トレイである給紙トレイ２８から所要の記録シート（用紙）を給紙装置で１枚づつ引き出して搬送し、転写部を通し、定着部を通して、用紙排出トレイ２０へ排出するように構成されている。
【００２６】
プリンタ１２内部に配置される転写部には、図示しないが、回転駆動される感光体ドラムを装着する。感光体ドラムは、その表面が一様に帯電された後、前述したＲＯＳから照射されるレーザビームにより露光走査されて静電潜像が形成される。
【００２７】
このようにして感光体ドラム上に形成された静電潜像は、現像装置（図示せず）によって静電潜像がトナー像に現像される。
【００２８】
感光体ドラム上に形成されたトナー像は、転写部（図示せず）において、搬送路上を搬送されてきた記録シート（記録用紙）に転写される。
【００２９】
このようにしてトナー像が転写された記録シートは、定着部（図示せず）に搬送されてトナー像が定着され、さらに搬送路上を搬送されて、用紙排出トレイ２０上に排出されストックされる。
【００３０】
上述のように構成された画像形成装置（デジタル複写機）本体１０では、装置本体（ハウジング）下部に配置された記録シート収納部として、３段に渡って配置された各記録シート供給トレイである給紙トレイ２８におけるハウジングの前面側から画像形成装置本体１０内の動作音が漏れ難くするための、漏音抑制手段を設ける。
【００３１】
この記録シート供給トレイである給紙トレイ２８は、図２に示すように、多数枚重ねられて束にされた記録シートを収容する箱状に構成された記録シート（用紙）用の収容ケース部分３０と、この収容ケース部分３０の前面側に一体に設けられた取っ手部３２とを有する。
【００３２】
この給紙トレイ２８は、画像形成装置本体１０の前面に形成された給紙トレイ挿入口から、画像形成装置本体１０内部のトレイ収容空間内に、ガイドレールを利用して引き出しのように出し入れ可能に装着する。
【００３３】
このように装着された給紙トレイ２８は、ハウジングから引き出した補給位置で記録シートの束を補給し、この給紙トレイ２８をハウジング内の収容位置にへ押し戻してセットし、給紙に利用される。
【００３４】
この給紙トレイ２８に設ける収容ケース部分３０には、給紙トレイの用紙搬出方向前端に位置決め用前壁を立設し、記録シートである用紙の束の搬送方向前端を当接させて位置決めした状態で多数枚重ねられて束にされた記録シートを収納する。
【００３５】
図１に示すように、給紙トレイ２８の取っ手部３２は、画像形成装置本体１０の前面に配置される化粧板を兼ねるもので、正面視略矩形状で所定の肉厚幅を有し、画像形成装置本体１０の幅と同じ幅をもつプレート状に形成する。
【００３６】
この画像形成装置本体１０の前面に３段に渡って配置された取っ手部３２は、その上端辺と下端辺とに隣接する部材との間で接触して給紙トレイ２８を装脱操作するときの操作性を阻害しないように、各取っ手部３２における上端辺側と下端辺側との周囲に遊びとしての隙間が残るように構成する。
【００３７】
この画像形成装置本体１０のトレイ収容空間におけるハウジング前面側と、給紙トレイ２８の取っ手部３２部分との間にできる隙間部分には、漏音抑制手段を構成する。
【００３８】
この漏音抑制手段は、例えば、図２及び図３に示すように、画像形成装置本体１０の下部に形成された、３段に渡って配置された各給紙トレイ２８を収容する記録シート収納部の前面側の開口部全周に渡って対応するよう、オーバーラップ部材３４を配置して構成する。
【００３９】
このオーバーラップ部材３４は、画像形成装置本体１０前面壁の記録シート収納部の開口部全周に渡って、連続して取り囲むように立設した縦壁状に形成する。なお、このオーバーラップ部材３４は、少なくとも最上段の給紙トレイ取っ手部３２の上端面と、最下段の給紙トレイ取っ手部３２の下端面とに対応した部分に設ける。
【００４０】
このオーバーラップ部材３４は、例えば１ｍｍの厚みのプラスチック材を、取っ手部３２の厚さ以下の高さで、画像形成装置本体１０における前面側の壁面に、給紙トレイ２８の引き出し方向に沿って立設する。
【００４１】
さらに、この図２及び図３に示す漏音抑制手段では、画像形成装置本体１０における記録シート収納部の開口部の前面側に、取っ手部３２のハウジング側に向いた内面と略平行となるように、略長板状に形成した防音壁部３６を配置する。
【００４２】
この防音壁部３６は、記録シート収納部の開口部周囲に配置するものを、オーバーラップ部材３４の基端部に直交するように一体化して構成する。また、隣接する取っ手部３２の間にできる隙間の裏側を覆う範囲に対応して、取っ手部３２のハウジング側に向いた内面と略平行となるように、略長板状に形成した防音壁部３６Ａを配置する。
【００４３】
この図２及び図３に示す漏音抑制手段の構成では、給紙トレイ２８の上下間の隙間から漏れる音を遮るようにできる。
【００４４】
この図２及び図３に示す漏音抑制手段の構成では、オーバーラップ部材３４を１ｍｍの厚みのプラスチック材で構成し、少なくともオーバーラップ部材３４と、取っ手部３２との間にできる隙間、さらには防音壁部３６、３６Ａと画像形成装置本体１０のハウジングとの間にできる隙間を狭くするほど、漏音低減効果が大きくなる。
【００４５】
実験により確認したところ、オーバーラップ部材３４との間に生じる隙間を１ｍｍに構成したときに画像形成装置本体１０の外部へ漏れだした音圧レベルは、５２．２ｄＢであった。
【００４６】
また、オーバーラップ部材３４との間に生じる隙間を６ｍｍに構成したときに画像形成装置本体１０の外部へ漏れだした音圧レベルは、５４．２ｄＢであった。
【００４７】
さらに、オーバーラップ部材３４及び防音壁部３６、３６Ａを外した画像形成装置本体１０では、外部へ漏れだした音圧レベルが、５６．４ｄＢ程度であった。
【００４８】
この画像形成装置本体１０では、オーバーラップ部材３４との間及び防音壁部３６、３６Ａとの間に生じる隙間を狭める程、漏音抑制効果を向上させることができる。しかし、オーバーラップ部材３４との間及び防音壁部３６、３６Ａとの間に生じる隙間を狭める程、給紙トレイ２８を装脱操作させるときの操作性を向上させるための隙間（遊び）が狭くなり、装脱操作時の操作性が悪くなる傾向があるので、これらの事情を勘案して、オーバーラップ部材３４との間及び防音壁部３６、３６Ａとの間に生じる隙間の間隔（距離）を決定する。
【００４９】
そこで、オーバーラップ部材３４との間に生じる隙間の間隔（距離）を求めるために行った、操作性と漏れ音についての実験の結果を、下記の表１に示す。
【００５０】
【表１】
2006256811.tif 000003
この表１の結果から分かるように、オーバーラップ部材３４との間に生じる隙間の間隔（距離）を、２ｍｍ以上、３ｍｍ以下（より好ましくは２ｍｍ）に設定したときに、操作性を良好に保ったまま、漏れ音を抑制できることが分かった。
【００５１】
また、このオーバーラップ部材３４、防音壁部３６、３６Ａを構成する材料は、給紙トレイ２８の装脱性維持のために、樹脂材料やゴムなどの弾性部材を用いることが望ましい。また、給紙トレイ２８の収納時に、取っ手部３２とオーバーラップ部材３４との間に隙間が開いて接触することはないが、給紙トレイ２８の収容ケース部分３０の端部が防音壁部３６、３６Ａと接触する可能性があるため、弾性部材を用いることで防音壁部３６、３６Ａを弾性変形可能にして装脱操作の操作性を損なうことなく収納できるようにすることが望ましい。
【００５２】
次に、画像形成装置本体１０に設ける漏音抑制手段における、他の構成例について、図４乃至図６により説明する。
【００５３】
この図４乃至図６に示す漏音抑制手段では、オーバーラップ部材３４との間にできる隙間を２回以上屈折させて騒音を低減するよう構成する。
【００５４】
この図４乃至図６に示す漏音抑制手段では、各取っ手部３２における内側面の外周部近くを取り巻く部分に、漏音を抑制するため細溝状に形成した遊挿溝３８を穿設する。これと共に、画像形成装置本体１０の記録シート収納部における各給紙トレイ２８を装脱する収納空間の開口部の前面壁部には、遊挿溝３８に挿入可能に対応したオーバーラップ部材３４を突設する。
【００５５】
この図４乃至図６に示す漏音抑制手段で用いるオーバーラップ部材３４は、発泡ウレタンやゴム、樹脂材料やプラスチックシートなどを用いて構成することができる。
【００５６】
このオーバーラップ部材３４は、遊挿溝３８に遊挿された際、オーバーラップ部材３４の自由端が遊挿溝３８の溝底に当接しない高さに形成することで、給紙トレイ２８の装脱性を損なわないようにすることができる。
【００５７】
このように構成することによって、遊挿溝３８内にオーバーラップ部材３４が遊挿された状態で、略Ｕ字状に屈折（屈曲）された隙間が作られる。
【００５８】
この遊挿溝３８内にオーバーラップ部材３４が遊挿されることにより作られる略Ｕ字状に屈折（屈曲）された隙間は、各給紙トレイ２８の取っ手部３２の内側面外周部近くを取り囲むように配置される。よって、画像形成装置本体１０の記録シート収納部における各給紙トレイ２８を装脱する収納空間は、この略Ｕ字状に屈折（屈曲）された隙間を介してだけ、外気と連通することになる。このため画像形成装置本体１０内で発生した騒音も、この略Ｕ字状に屈折（屈曲）された隙間を通して外部へ漏れることになる。
【００５９】
この図４乃至図６に示す漏音抑制手段では、遊挿溝３８内にオーバーラップ部材３４が遊挿されることにより略Ｕ字状になって２回以上屈折された隙間を作るので、オーバーラップ部材３４による音の透過損失と、オーバーラップ部材３４によって遊挿溝３８内に作られる隙間の形状が屈折されたものとなり、音の減衰と干渉によって、騒音を低減できる。
【００６０】
また、遊挿溝３８内にオーバーラップ部材３４が遊挿される構成であるため、給紙トレイ２８を装脱操作する際に、漏音抑制手段の部分で摩擦抵抗が生じることは無いから、給紙トレイ２８を装脱操作する際の操作性を良好に維持することができる。よって、このような簡素な構成によって、画像形成装置本体１０に装着した給紙トレイ２８の装脱性を損なわずに遮音して、騒音が画像形成装置本体１０の外部へ漏れることを低減することができる。
【００６１】
さらに、この画像形成装置本体１０に設ける図２乃至図６に示す漏音抑制手段は、それぞれ画像形成装置本体１０の給紙トレイ用収納空間と外気との交流を可能とする通気性を有するものであるから、画像形成装置本体１０の内部を換気して冷却したり、給紙トレイ２８の内部で発生した記録シートの粉屑を通気に乗せて画像形成装置本体１０の外部へ排出する作用を妨げないようにできる。
【００６２】
次に、画像形成装置本体１０に設ける漏音抑制手段における、さらに他の構成例について、図７乃至図９により説明する。
【００６３】
この図７乃至図９に示す漏音抑制手段では、給紙トレイ２８の取っ手部３２と、記録シート収納部の壁との間にできる隙間、又は一方の取っ手部３２と、他方の取っ手部３２との間にできる隙間を、転接ローラ４０を利用して遮音するように構成する。
【００６４】
この図７乃至図９に示す漏音抑制手段では、給紙トレイ２８における取っ手部３２の上面部に、長手方向に沿って転接ローラ４０を装着する。このため、取っ手部３２の上面部には、Ｕ字状の溝４６を穿設し、この内部に転接ローラ４０を配置する。また転接ローラ４０は、両端部に突出させた回転軸４２を、正方形の板状に形成した軸受部材４４で支受するように構成する。
【００６５】
そして、この漏音抑制手段では、Ｕ字状の溝４６の両端部に、それぞれＵ字状のガイド部材４８を設置し、各ガイド部材４８に形成されたＵ字状のガイド溝４８Ａにおける平行に対向するガイド辺の間に、それぞれ対応する軸受部材４４を摺動自在に装着する。
【００６６】
さらに、この漏音抑制手段では、ガイド溝４８Ａの底部と、軸受部材４４との間に、圧縮コイルばね５０を懸架することにより、取っ手部３２の溝４６内に装着された転接ローラ４０が、溝４６から所定高さだけ、弾性的に支受された状態で突出するように構成する。
【００６７】
このように構成した図７乃至図９に示す漏音抑制手段では、転接ローラ４０が画像形成装置本体１０の記録シート収納部の壁面に転接し、又は取っ手部３２の底面に転接して、これらとの間にできる隙間が直線的に外部へ連通しないように塞ぐ。
【００６８】
すなわち、給紙トレイ２８の取っ手部３２と、記録シート収納部の壁との間にできる隙間部分には、転接ローラ４０が配置されることによって、転接ローラ４０の外周面と、溝４６との間にできる、幅が狭く湾曲した空間が形成されることになる。
【００６９】
よって、画像形成装置本体１０の内部と外気とは、給紙トレイ２８の取っ手部３２と、記録シート収納部の壁との間にできる隙間部分にある幅が狭く湾曲した空間を介して連通することになる。
【００７０】
このため、図７乃至図９に示す漏音抑制手段では、転接ローラ４０による音の透過損失と、この転接ローラ４０の周囲にできる幅が狭く湾曲した空間による音の減衰と干渉によって、騒音を低減できる。
【００７１】
また、給紙トレイ２８を装脱操作する際には、転接ローラ４０が、給紙トレイ２８の取っ手部３２の底面、又は記録シート収納部の壁面に対して抵抗が少ないように転接するので、給紙トレイ２８を装脱操作するため必要な操作力が大きくならないので、給紙トレイ２８を装脱操作する際の操作性を良好に維持することができる。よって、このような簡素な構成によって、画像形成装置本体１０に装着した給紙トレイ２８の装脱性を損なわずに遮音して、騒音が画像形成装置本体１０の外部へ漏れることを低減することができる。
【００７２】
さらに、この画像形成装置本体１０に設ける図７乃至図９に示す漏音抑制手段は、転接ローラ４０の周囲にできる湾曲した空間によって、画像形成装置本体１０の給紙トレイ用収納空間と外気との交流を可能とする通気性を有するものであるから、画像形成装置本体１０の内部を換気して冷却したり、給紙トレイ２８の内部で発生した記録シートの粉屑を通気に乗せて画像形成装置本体１０の外部へ排出する作用を妨げないようにできる。
【００７３】
なお、本発明は前述した実施の形態に限定されるものではなく、本発明の要旨を逸脱しない範囲で、その他種々の構成を取り得ることは勿論である。
【図面の簡単な説明】
【００７４】
【図１】本発明の実施の形態に係わる画像形成装置を示す全体斜視図である。
【図２】本発明の実施の形態に係わる画像形成装置におけるプリンタに配置した、漏音抑制手段を設けた給紙トレイとその収納部分とを取り出して示す説明図である。
【図３】本発明の実施の形態に係わる画像形成装置におけるプリンタに配置した、漏音抑制手段を設けた給紙トレイとその収納部分との要部を取り出して示す拡大説明図である。
【図４】本発明の実施の形態に係わる画像形成装置におけるプリンタに配置した、他の構成の漏音抑制手段を設けた給紙トレイとその収納部分との要部を縦断面で示す要部拡大説明図である。
【図５】本発明の実施の形態に係わる画像形成装置におけるプリンタに配置した、他の構成の漏音抑制手段を設けた給紙トレイとその収納部分との要部を横断面で示す要部拡大説明図である。
【図６】本発明の実施の形態に係わる画像形成装置におけるプリンタに配置した、他の構成の漏音抑制手段を設けた給紙トレイとその収納部分との要部を取り出して示す要部斜視図である。
【図７】本発明の実施の形態に係わる画像形成装置におけるプリンタに配置した、さらに他の構成の漏音抑制手段を設けた給紙トレイとその収納部分との要部を示す説明図である。
【図８】本発明の実施の形態に係わる画像形成装置におけるプリンタに配置した、さらに他の構成の漏音抑制手段を設けた給紙トレイとその収納部分との要部の拡大説明図である。
【図９】本発明の実施の形態に係わる画像形成装置におけるプリンタに配置した、さらに他の構成の漏音抑制手段を設けた給紙トレイの部分を取り出して示す概略斜視図である。
【符号の説明】
【００７５】
１０  画像形成装置本体
１２  プリンタ
２８  給紙トレイ
３０  収容ケース部分
３２  取っ手部
３４  オーバーラップ部材
３６  防音壁部
３６Ａ      防音壁部
３８  遊挿溝
４０  転接ローラ
【図１】
2006256811.tif 000004
【図２】
2006256811.tif 000005
【図３】
2006256811.tif 000006
【図４】
2006256811.tif 000007
【図５】
2006256811.tif 000008
【図６】
2006256811.tif 000009
【図７】
2006256811.tif 000010
【図８】
2006256811.tif 000011
【図９】
2006256811.tif 000012